(57)【要約】【課題】カバーの偏重心による器具の傾きを防止し、カバー取付け等の安全性が高い照明器具を提供する。【解決手段】ランプソケット３０を有し下端部にカバー取付ねじ受部２４およびキャップ取付ねじ受部２３を有する支柱１２と、この支柱１２のカバー取付ねじ受部２４と螺合しかつカバー取付ねじ受部２４を乗り越え可能な雌ねじ１９ｃを有するとともに貫通部２６を有するカバー１７と、貫通部２６を通してキャップ取付ねじ部２３に螺合される雌ねじ筒部２０を有してカバー１７の前面を支持するキャップ１６とを備え、支柱１２はカバー１７を水平姿勢に支持するための水平受け部２２を有し、雌ねじ１９ｃがカバー取付ねじ受部２４を乗り越えた状態で、水平受け部２２に当接する水平面部１９ｄをカバー１７に設けている。【選択図】  図１
2004259631.tif 000002
【特許請求の範囲】
【請求項１】
ランプソケットを有し下端部にカバー取付ねじ受部およびキャップ取付ねじ受部を有する支柱と、この支柱の前記カバー取付ねじ受部と螺合しかつ前記カバー取付ねじ受部を乗り越え可能な第１のねじ部を有するとともに貫通部を有するカバーと、前記貫通部を通して前記キャップ取付ねじ部に螺合される第２のねじ部を有して前記カバーの前面を支持するキャップとを備え、前記支柱は前記カバーを水平姿勢に支持するための水平受け部を有し、前記第１のねじ部が前記カバー取付ねじ受部を乗り越えた状態で、前記水平受け部に当接する水平面部を前記カバーに設けた照明器具。
【請求項２】
前記カバーの前記第１のねじ部が前記カバー取付ねじ受部を乗り越えた状態で、前記キャップの前記第２のねじ部が前記キャップ取付ねじ受部に螺合できるように、前記第２のねじ部と前記キャップ取付ねじ受部の長さが設定されている請求項１記載の照明器具。
【請求項３】
前記カバー取付ねじ受部と前記キャップ取付ねじ受部はねじのピッチが異なる請求項２記載の照明器具。
【請求項４】
前記カバー取付ねじ受部は部分ねじである請求項２記載の照明器具。
【発明の詳細な説明】
【０００１】
【発明の属する技術分野】
この発明は、照明器具に関するものである。
【０００２】
【従来の技術】
天井に取付ける照明器具で、吊下具にカバー付照明器具を水平に吊るしたものがある（特許文献参照）。
【０００３】
この種の照明器具の基本的な構成の一例を図５から図７に示す。この照明器具はフランジ１、ソケット台２、カバー３、ソケット４、ランプ５等が主要な構成部品である。天井に取付けられるフランジ１は金属製板材を絞り加工により形成し、表面は塗装もしくはめっき処理がされており、その中心部には金属製板材を絞り加工により筒形に形成し、フランジ１と同一に表面処理された支柱状のソケット台２がある。このソケット台２はねじ等により所定の間隔をもってフランジ１に固定され、垂下している。このソケット台２の周側面にはランプ５に電力を供給するソケット４が固定され、下面にはカバー３を取り付けるための金属製板材の取付金具６と、カバー取付部分を隠すキャップ７を取り付けるためのねじ部８が設けられる。取付金具６は周縁に複数の係合片６ａを突出している。カバー３はガラス材を椀状に形成し、カバー中心部に取付金具用の穴３ａを設けている。この穴３ａを利用してカバー取付金具９がカバー３の中心部に取り付けられる。カバー取付金具９は筒状で係合片６ａを係止するＬ字形のスリット９ａを形成している。カバー３は、通常、ランプ５をソケット４に取り付けた後、取付金具６にカバー取付金具９を位置させ、押し上げかつ周方向に回転させて係合片６ａにスリット９ａを係合して取り付ける。さらに穴３ａに通ったねじ部８にキャップ７を取付け、カバー３を支持することにより照明器具が使用できる状態になる。
【０００４】
【特許文献】
特開平７−１４４１７号
【０００５】
【発明が解決しようとする課題】
ところで、このような照明器具はカバー３の偏重心により傾きが発生し、またキャップ７を外す方向に回すとカバー３が共回りして、カバー３が取付金具６から外れる可能性がある。そのため取り付け、取り外しおよび取付状態でカバー３の保持に安全性が求められている。
【０００６】
したがって、本発明の目的は、カバーの偏重心による器具の傾きを防止し、カバー取付け等の安全性が高い照明器具を提供することである。
【０００７】
【課題を解決するための手段】
請求項１記載の照明器具は、ランプソケットを有し下端部にカバー取付ねじ受部およびキャップ取付ねじ受部を有する支柱と、この支柱の前記カバー取付ねじ受部と螺合しかつ前記カバー取付ねじ受部を乗り越え可能な第１のねじ部を有するとともに貫通部を有するカバーと、前記貫通部を通して前記キャップ取付ねじ部に螺合される第２のねじ部を有して前記カバーの前面を支持するキャップとを備え、前記支柱は前記カバーを水平姿勢に支持するための水平受け部を有し、前記第１のねじ部が前記カバー取付ねじ受部を乗り越えた状態で、前記水平受け部に当接する水平面部を前記カバーに設けたものである。
【０００８】
請求項１記載の照明器具によれば、カバーの水平面部が支柱の水平受け部に当接することにより、カバーの偏重心による器具の傾きの発生を防止することができる。またカバーの第１のねじ部がカバー取付ねじ受部に係合して仮吊りされることにより、カバーの取り付け、取り外しにおけるキャップの着脱時の突然のカバーの外れ等を防止することができ、ランプ交換や清掃時にカバーを外す際、ユーザーに対する安全性を向上することができる。
【０００９】
請求項２記載の照明器具は、請求項１において、前記カバーの前記第１のねじ部が前記カバー取付ねじ受部を乗り越えた状態で、前記キャップの前記第２のねじ部が前記キャップ取付ねじ受部に螺合できるように、前記第２のねじ部と前記キャップ取付ねじ受部の長さが設定されているものである。
【００１０】
請求項２記載の照明器具によれば、請求項１と同様な効果のほか、カバーのねじ部が支柱のカバー取付ねじ受部にねじ込まれなければ、キャップが支柱のキャップ取付ねじ受部に取り付けることができないため、カバーを仮吊りしない不完全な取付状態でキャップが取り付けられることを防止することができる。
【００１１】
請求項３記載の照明器具は、請求項２において、前記カバー取付ねじ受部と前記キャップ取付ねじ受部はねじのピッチが異なるものである。
【００１２】
請求項３記載の照明器具によれば、請求項２と同様な効果のほか、カバーとキャップを異なるピッチによるねじ込み構造とすることにより、カバーとキャップが共回りすることを防止することができ、キャップの外れと同時にカバーが外れるのを防止できる。
【００１３】
請求項４記載の照明器具は、請求項２において、前記カバー取付ねじ受部が部分ねじである。
【００１４】
請求項４記載の照明器具によれば、請求項２と同様な効果のほか、カバー取付ねじ受部を部分ねじとしてカバーを仮吊りすることができるので、カバー取付け作業が煩雑にならない。
【００１５】
【発明の実施の形態】
以下、本発明の一実施の形態を図１から図４により説明する。本発明の照明器具の基本構成を図１に示す。本発明の照明器具は、例えば金属製板材を絞り加エされたフランジ１１（ｔｌ．２）と例えば鋼管製の支柱１２（φ９．５）を有し、フランジ１１が天井に取付けられる。支柱１２の上部から中央部付近には温度低減用の例えば金属製板材の遮熱板１３（ｔｌ．０）とソケット台１４（ｔｌ，０）が取付けられている。ソケット台１４にはランプソケット３０が取付けられ、ランプソケット３０にはランプ３１が装着される。支柱１２の下方の先端にはカバー取付ねじ受部２４とキャップ取付ねじ受部２３がある、例えば真鍮製の取付金具１５（φ１２．７）が取り付けられている。取付金具１５はその上端部に、支柱１２の下端部にねじや溶接等により取付ける取付部１５ａを有し、取付部１５ａの下端位置につば状の水平受け部２２を有し、下端部に細径のキャップ取付ねじ受部２３を設け、キャップ取付ねじ受部２３の上端側で水平受け部２２よりも下方にキャップ取付ねじ受部２３よりも径大のカバー取付ねじ受部２４を設けている。カバー取付ねじ受部２４とキャップ取付ねじ受部２３はねじのピッチが異なる。またカバー取付ねじ受部２４は部分ねじとし、カバー１７の着脱時に一旦、カバー１７を取付金具１９に仮吊りしやすくしている。水平受け部２２とカバー取付ねじ受部２４との間がカバー１７の仮吊り部２５となる。
【００１６】
カバー１７はガラス製であり、中心部に貫通孔２６を形成してあり、貫通孔２６に鋼管製の例えばニップルを用いたねじ筒１８を貫通している。ねじ筒１８の下端部には例えば平金具２７が設けられ、パッキン２８を介してカバー１７の下面に当接している。カバー１７内のねじ筒１８の上端部には取付具例えば取付金具１９が螺合され、パッキン２９を介してカバー１７の内面に当接し、これにより取付金具１９がカバー１７に取付けられている。取付金具１９は貫通穴１９ａを有し下端部にねじ筒１８に螺合する雌ねじ１９ｂが形成され、上端部にカバー取付ねじ受部２４に螺合する第１のねじ部例えば雌ねじ１９ｃが形成され、その間の貫通穴１９ａの部分は径大に形成されている。また取付金具１９の上面が水平受け部２２に当接する水平面部１９ｄとなっている。
【００１７】
キャップ６（ｔＯ．６）は例えば金属製板材を絞り加エされたもので、中央部にキャップ取付ねじ受部２３に螺合する第２のねじ部例えば雌ねじ筒部２０が取り付けられている。雌ねじ筒部２０はねじ筒１８の内径よりも外径が小さい。取付順序はまずカバー１７を取付金具１５のカバー取付ねじ受部２４にねじ込み、その後キャップ取付用ねじ部２３にキャップ１６を取り付ける。
【００１８】
図２はカバー１７の仮吊り状態を示す。カバー１７の取付け時はカバー取付ねじ受部２４に雌ねじ１９ｃを螺合してカバー取付ねじ受部２４を越えさせ、その後後述のようにキャップ１６でカバー１７を固定する。仮吊り部となる範囲２５は、取付金具１９の雌ねじ１９ｃがカバー取付ねじ受部２４との螺合を越えた位置から取付金具１９の上端の水平面部１９ｄが水平受け部２２に当接する範囲であり、この範囲ではカバー１７が自由に上下移動できる。この場合、カバー１７を仮吊り状態にして初めてキャップ取付ねじ受部２３の寸法Ａがキャップ１６の雌ねじ部２０にねじ込み可能な寸法Ｂとなるように、キャップ取付ねじ受部２３と雌ねじ部２０の長さが設定されている。その結果、カバー１７を取り付ける際、取付金具１９がカバー取付ねじ受部２４を乗り越えなければ、キャップ１６を取付金具１５のキャップ取付用ねじ部２３に締付けることができず、これにより、不完全な仮吊りを防止することができる。
【００１９】
図３は、キャップ１６を図示しないが、カバー１７を図２の状態から押し上げて水平面部１９ｄを水平受け部２２に当接する直前の状態である。キャップ１６の雌ねじ部２０をキャップ取付ねじ受部２３に締めつけてカバー１７の前面を支持することにより、水平面部１９ｄを水平受け部２２に当接した状態にカバー１７を保持することができる。これでカバー１７が取付状態となり、かつカバー１７の偏重心による傾きの発生を防止することができる。
【００２０】
図４は、図３において説明したカバー１７の取付状態にキャップ１６を締めつけた状態から、キャップ１６を逆回転してゆるめ、そのためカバー１７の雌ねじ１９ｃがカバー取付ねじ受部２４に係合したあるいは螺合を始めた状態である。キャップ１６を緩め始めるとカバー１７は自重によりキャップ１６に載ったまま共回りして下がり、カバー取付ねじ受部２４に係合する。この場合、取付金具１５のカバー取付用ねじ受け部２４とキャップ取付ねじ受部２３において、異なるねじピッチを採用しているため、さらにキャップ１６をキャップ取付ねじ受部２３から外れるように回転しても、カバー１７とキャップ１６の雌ねじ２０の接触による共回りをすることができない。すなわち、キャップ１６を戻す方向に回転してもこれに伴ってカバー１７が回転しないので、カバー１７はカバー取付ねじ受部２４から外れることなく、キャップ１６のみがキャップ取付ねじ受部２３から外れることができ、これによりカバー１７の落下防止となる。つぎにキャップ１６を外した後、カバー１７を回すことにより安全にカバー１７を外すことができる。
【００２１】
なお、カバー取付ねじ受部２４およびキャップ取付ねじ受部２３が雄ねじであったが、これらが雌ねじで、第１のねじ部である雌ねじ１９ｃおよび第２のねじ部である雌ねじ筒部２０が雄ねじで構成されてもよい。
【００２２】
【発明の効果】
請求項１記載の照明器具によれば、カバーの水平面部が支柱の水平受け部に当接することにより、カバーの偏重心による器具の傾きの発生を防止することができる。またカバーの第１のねじ部がカバー取付ねじ受部に係合して仮吊りされることにより、カバーの取り付け、取り外しにおけるキャップの着脱時の突然のカバーの外れ等を防止することができ、ランプ交換や清掃時にカバーを外す際、ユーザーに対する安全性を向上することができる。
【００２３】
請求項２記載の照明器具によれば、請求項１と同様な効果のほか、カバーのねじ部が支柱のカバー取付ねじ受部にねじ込まれなければ、キャップが支柱のキャップ取付ねじ受部に取り付けることができないため、カバーを仮吊りしない不完全な取付状態でキャップが取り付けられることを防止することができる。
【００２４】
請求項３記載の照明器具によれば、請求項２と同様な効果のほか、カバーとキャップを異なるピッチによるねじ込み構造とすることにより、カバーとキャップが共回りすることを防止することができ、キャップの外れと同時にカバーが外れるのを防止できる。
【００２５】
請求項４記載の照明器具によれば、請求項２と同様な効果のほか、カバー取付ねじ受部を部分ねじとしてカバーを仮吊りすることができるので、カバー取付け作業が煩雑にならない。
【図面の簡単な説明】
【図１】この発明の一実施の形態の分解断面図である。
【図２】カバーがカバー取付ねじ受部へのねじ込みを越えて仮吊りした状態の部分断面図である。
【図３】カバーの水平面部を支柱の水平受け部に接近した状態の部分断面図である。
【図４】キャップを外すときの部分断面図である。
【図５】従来例の半断面側面図である。
【図６】分解斜視図である。
【図７】カバーおよびキャップと取付金具との結合関係を説明する斜視図である。
【符号の説明】
１２    支柱
１４    ソケット台
１５    取付金具
１６    キャップ
１７    カバー
１９ｃ  雌ねじ
１９ｄ  水平面部
２０    雌ねじ筒部
２２    水平受け部
２３    キャップ取付ねじ受部
２４    カバー取付ねじ受部
２６    貫通孔
３０    ランプソケット
【図１】
2004259631.tif 000003
【図２】
2004259631.tif 000004
【図３】
2004259631.tif 000005
【図４】
2004259631.tif 000006
【図５】
2004259631.tif 000007
【図６】
2004259631.tif 000008
【図７】
2004259631.tif 000009